(57)【要約】【課題】従来、一つの撮像装置に同様の機能を持った複数の外部機器（GPS）を同時に接続させた場合、どちらか一方をユーザーに選択させ接続させる必要があり、どちらを選ぶべきかユーザーが意識する必要があり混乱の元となるという課題がある。【解決手段】撮像装置において、外部機器と接続するための異なる外部インターフェイスを備え、第一の外部機器と第二の外部機器を同時に撮像装置に接続されてもどちらのGPSから通信が撮像装置に通信されているかを知る手段を持ち、表示部材に表示されるGPS機器の設定を「使う」に変更されたことをきっかけに第二の外部機器が第一の外部機器の接続通知より先に通信されてきた場合通信を拒否しておく手段を備え、第一の外部機器から接続可能通信がきた場合第一の外部機器と接続することを可能とする撮像装置。【選択図】  図２
2013187720.tif 000002
【特許請求の範囲】
【請求項１】
撮像装置において、外部機器と接続するための異なる複数の外部インターフェイス（１４０、１４１）を備え、第一の外部機器（１３２）と第二の外部機器（１３３）を同時に認識する手段（１２３、１４２）を持ち、ユーザー操作により外部機器の使用を許可する手段（１２３）を持ち、外部機器の論理接続通信を拒否する手段（１２３）を備え、第一の外部機器（１３２）と第二の外部機器（１３３）がどちらも論理接続してきた際、第一の外部機器（１３１）との接続を行うことを特徴とする撮像装置。
【請求項２】
第一の外部機器が論理接続されていることを撮像装置から外部機器に確認する通信手段（S206、１２３）を持ち、第一の外部機器（１３２）が論理接続されていないことを確認する通信手段（１２３、１４２）を持ち、第二の外部機器（１３３）が予め論理接続通信で接続に来ているかを確認する手段（S210、１２３）を備え接続にきているという情報があれば第二の外部機器（１３３）との接続を開始することを特徴とする請求項１に記載の撮像装置。
【発明の詳細な説明】
【技術分野】
【０００１】
本発明は、撮像装置に脱着可能な複数の外部機器の接続方法に関し、特にUSB接続で通信可能なGPSと専用コネクタ接続にて通信可能なGPSが一つの撮像装置に同時に接続されたときの接続方法に関するものである。
【背景技術】
【０００２】
従来、一つの撮像装置に異なる外部機器が複数接続され、どちらか片方を動作させていることにより他方の外部機器の接続を制限させ排他制御するという方法がある。一方同一撮像装置に複数外部機器が接続され、どちらかの機能を排他しなければならない場合メニュー上などからユーザー操作によりどちらの機器を接続させるか選択させる手段も公になっている。
【０００３】
例えば特許文献１では一つの撮像装置に複数のGPSがBlueTooth（登録商標）接続で接続可能でユーザー操作によりどのGPSと接続するかを選択させる手段が記載されている。
【０００４】
また、特許文献２では複数種類の外部機器に対応する接続部を持ち、接続された外部機器に適用すべき認識手段を持つ機能をもつ撮像装置について触れられている
【先行技術文献】
【特許文献】
【０００５】
【特許文献１】特開2008-199356号公報
【特許文献２】特開平6-217175号公報
【発明の概要】
【発明が解決しようとする課題】
【０００６】
しかしながら、上述の特許文献１に開示された従来技術では、ある撮像装置に特化して開発された専用GPSと汎用的に接続可能なGPSを同時に接続した場合本来専用GPSと接続するのが望ましいが、ユーザー操作で選択しなければならないという手間がかかってしまう。
【０００７】
そこで、本発明の目的は、ある撮像装置に特化したGPSと多機種に接続可能な汎用的なUSBでGPSが同時に接続された場合、ユーザーがどちらのGPSを接続させるかという操作をさせることなく専用GPSと接続を可能にする機能を提供することである。
【課題を解決するための手段】
【０００８】
上記目的を達成するために、本発明は、
撮像装置において、外部機器と接続するための異なる外部インターフェイス（１４０、１４１）を備え、第一の外部機器（専用コネクタに接続されるGPS（１３２））と第二の外部機器（USB接続されるGPS（１３３））を同時に撮像装置に接続されてもどちらのGPSから通信が撮像装置に通信されているかを知る手段（S202、S206、１２３）を持ち、表示部材（１１８）に表示されるGPS機器の設定を「使う」に変更されたことをきっかけに第二の外部機器（USB接続されるGPS（１３３））が第一の外部機器（専用コネクタに接続されるGPS（１３２））の接続通知より先に通信されてきた場合通信を拒否しておく手段（S203、１２３）を備え、第一の外部機器（専用コネクタに接続されるGPS（１３２））から接続可能通信がきた場合第一の外部機器（専用コネクタに接続されるGPS（１３２））と接続することを可能とする撮像装置。
【発明の効果】
【０００９】
本発明によれば一つの撮像装置に専用コネクタに接続されるGPSとUSB接続されるGPSが同時に二つ接続されている場合、GPS機器の設定を「使う」にすることをきっかけに、専用設計されているGPS（専用コネクタGPS）との接続を優先的に接続し通信することが可能となる。
【００１０】
また、実施例2を用いれば専用コネクタに接続されるGPSとアクセサリーシューで通信を行うGPSを同時に二つ接続されている場合、GPS機器の設定を「使う」にすることにより専用設計されているGPS（専用コネクタGPS）との接続を優先的に接続し通信することが可能となる。
【図面の簡単な説明】
【００１１】
【図１】実施例１に係る撮像装置の構成を示すブロック図
【図２】実施例１に係る撮像装置のフローチャート
【図３】実施例２に係る撮像装置のフローチャート
【発明を実施するための形態】
【００１２】
以下に、本発明の好ましい実施の形態を、添付の図面に基づいて詳細に説明する。図１は本発明の実施形態にかかわる撮像装置のブロック図で図２は本発明のGPS接続時のフローチャートである。
【００１３】
［実施例１］
以下、具体的なデジタルカメラの構成について説明する。
【００１４】
図１は、本発明の一実施形態に係わる一眼レフデジタルカメラの構成を示ブロック図である。
【００１５】
図１において、１０１は撮影レンズである。１０２はＡＦ（オートフォーカス）駆動部である。ＡＦ駆動部１０２は、例えばＤＣモータやステッピングモータによって構成され、マイクロコンピュータ１２３の制御によって撮影レンズ１０１のフォーカスレンズ位置を変化させることによりピントを合わせる。
【００１６】
１０３は絞りである。１０４は絞り駆動部である。絞り駆動部１０５は、絞り１０４を駆動する。駆動されるべき量はマイクロコンピュータ１２３によって算出され、光学的な絞り値を変化させる。
【００１７】
１０５は撮影レンズ１０１から入射した光束をファインダ側と撮像素子側とに切替えるための主ミラーである。主ミラー１０５は常時はファインダ部へと光束を導くよう反射させるように配されているが、撮影が行われる場合やライブビュー表示の場合には、撮像素子１１２へと光束を導くように上方に跳ね上がり光束中から待避する。また主ミラー１０５はその中央部が光の一部を透過できるようにハーフミラーとなっており、光束の一部を、焦点検出を行うためのセンサに入射するように透過させる。
【００１８】
１０６は主ミラー１０５から透過してきた光束を反射させ焦点検出を行うためのセンサ（焦点検出回路１０９内に配置されている）に導くためのサブミラーである。
【００１９】
１０７は、主ミラー駆動回路で、マイクロコンピュータ１２３の制御によって主ミラー１０５を駆動する。
【００２０】
１０８はファインダを構成するペンタプリズムである。ファインダは他にピント板、アイピースレンズ（不図示）などによって構成させる。
【００２１】
１０９は焦点検出回路である。ミラー１０６の中央部を透過し、サブミラー１０７で反射された光束は、焦点検出回路１０９の内部に配置された光電変換を行うためのセンサに至る。
【００２２】
フォーカス演算に用いるデフォーカス量は、センサの出力を演算することによって求められる。
【００２３】
マイクロコンピュータ１２３は演算結果を評価してＡＦ駆動部１０２に指示し、フォーカスレンズを駆動させる。
【００２４】
１１０はフォーカルプレーンシャッタである。
【００２５】
１１１はシャッタ駆動回路であり、フォーカルプレーンシャッタ１１０を駆動する。シャッタの開口時間はマイクロコンピュータ１２３によって、制御される。
【００２６】
１１２は撮像素子である。撮像素子１１２には、ＣＣＤやＣＭＯＳセンサなどが用いられ、撮影レンズ１０１によって結像された被写体像を電気信号に変換する。
【００２７】
１１５はＡ／Ｄ変換器である。Ａ／Ｄ変換器１１５は撮像素子１１２のアナログ出力信号をデジタル信号に変換する。
【００２８】
１１６は映像信号処理回路であり、ゲートアレイなどのロジックデバイスにより実現される。
【００２９】
１１７は表示駆動回路である。１１８は、ＴＦＴや有機ＥＬなどを用いた表示部材である。１１９はメモリコントローラである。１２０はメモリである。１２２はバッファメモリである。１２３はマイクロコンピュータである。
【００３０】
１２４は撮影操作部材である。撮影操作部材１２４は、マイクロコンピュータ１２３にその状態を伝え、マイクロコンピュータ１２３はその操作部材の変化に応じて各部をコントロールする。
【００３１】
１２５はスイッチ１（以後ＳＷ１）である。１２６はスイッチ２（以後ＳＷ２）である。スイッチＳＷ１とスイッチＳＷ２は、レリーズボタンの操作でオンオフするスイッチであり、それぞれ操作部材１２４の入力スイッチのうちの１つである。
【００３２】
スイッチＳＷ１のみオンの状態はレリーズボタン半押し状態であり、この状態でオートフォーカスの動作を行うと共に、測光動作を行う。スイッチＳＷ１、ＳＷ２が共にオンの状態はレリーズボタンの全押し状態であり、画像を記録するためのレリーズボタンオン状態である。この状態で撮影が行われる。またスイッチＳＷ１、ＳＷ２がオンし続けている間は、連続撮影動作が行われる。
【００３３】
操作部材１２４には、他に、ＩＳＯ設定ボタン、メニューボタン、セットボタン、フラッシュ設定ボタン、単写/連写/セルフタイマー切り替えボタン、メニューや再生画像移動のための移動＋（プラス）ボタン、移動−（マイナス）ボタン、露出補正ボタン、表示画像拡大ボタン、表示画像縮小ボタン、再生スイッチ、絞り１０４を設定された絞りに絞り込ませるための絞りボタン、撮影した画像を消去するための消去ボタン、撮影や再生に関する情報表示ボタンなど不図示のスイッチが接続されており、スイッチの状態が検出されている。
【００３４】
また、上記プラスボタン及びマイナスボタンの各機能は、回転ダイアルスイッチを備えることによって、より軽快に数値や機能を選択することが可能となる。
【００３５】
１２７は液晶駆動回路である。１２８は外部液晶表示部材である。１２９はファインダ内液晶表示部材である。
【００３６】
液晶駆動回路１２７は、マイクロコンピュータ１２３の表示内容命令に従って、文字、画像を用いて動作状態やメッセージ等を表示する外部液晶表示部材１２８やファインダ内液晶表示部材１２９を駆動する。また、ファインダ内液晶表示部材１２９には、不図示のＬＥＤなどのバックライトが配置されており、そのＬＥＤも液晶駆動回路１２７で駆動される。
【００３７】
マイクロコンピュータ１２３は撮影前に設定されているＩＳＯ感度、画像サイズ、画質に応じた、画像サイズの予測値データをもとに、メモリコントローラ１１９を通して、メモリの容量を確認した上で撮影可能残数を演算することができる。必要に応じて外部液晶表示部材１２８、ファインダ内液晶表示部材１２９にも表示することができる。
【００３８】
１３０は不揮発性メモリ（ＥＥＰＲＯＭ）で、カメラに電源が入れられていない状態でも、データを保存することができる。
【００３９】
１３１は電源部である。電源部１３１は、各ＩＣや駆動系に必要な電源を供給する。
【００４０】
１３２は専用コネクタに接続可能な外部機器（GPS）である。専用コネクタに接続可能なGPS１３２を使用するためには下記で説明するネットワーク用CPU１４２の電源をON状態にする必要がある。また専用コネクタに接続可能なGPSは特定のカメラとしか接続ができない専用GPSとなっている。
【００４１】
１３３はUSB接続により使用可能なGPSであり、こちらは１３２とは異なりUSB端子がある撮像装置用のものであり、汎用的なGPSとなっている。
【００４２】
１４０はUSBコネクタ端子である。複数の撮像装置に接続可能な汎用的なGPS機器は１４０に接続されることにより通信を開始する。
【００４３】
１４１は専用コネクタ端子である。専用コネクタ端子１４１が存在する撮像装置には専用コネクタ端子１４１に接続可能な専用GPSが接続可能となる。また他にも無線アンテナを接続することが可能である。
【００４４】
１４２はネットワーク用CPUである。ネットワーク用CPU１４２では無線や有線でFTP転送やDLNAなどの通信を行う際に使用するCPUである。ネットワーク用CPU１４２を使用するにはネットワーク用CPU１４２の電源を起動する必要がある。起動するためには表示部材１１８に表示されてる通信機能の項目を「使わない」から「使う」に変更するか、GPS機器の設定項目から「使わない」から「使う」に変更する必要がある。ネットワーク用CPUが起動すると、専用GPSが使用可能となる。
【００４５】
次に、図２のフローチャートを参照して専用コネクタで接続されるGPS１３２とUSBコネクタで接続されるGPS１３３をどのようにして専用コネクタ接続されるGPS１３２を優先的に接続させるかを説明する。
【００４６】
まず、表示部材１１８に表示されるGPS機器の設定項目にある「使わない」から「使う」に設定を変更する（S200）。（S200）にて「使う」に変更されたと判断したマイクロコンピューター１２３はネットワーク用CPU１４２の電源をON状態に変更する（S201）。USB接続されているGPS１３３から接続開始要求がマイクロコンピューター１２３に通知された場合はこの段階では接続処理に行かせないために通信NGというエラーコードを返し（S203）
USB接続のGPS１３３が接続通信を開始して通信NGで返したことのあるフラグをTRUEにしておく（S204）。
【００４７】
（S202）でUSB接続されているGPS１３３が電源がOFF状態などで接続通信してこない場合は（S205）へと進む。
【００４８】
専用コネクタ接続されるGPS１３２を使用するために、ネットワーク用CPUが起動し、起動完了通知をマイクロコンピューター１２３が受信するのを待つ（S205）。ネットワーク用CPU１４２から起動完了通信がマイクロコンピューター１２３に通知された場合、専用コネクタに専用コネクタ接続用GPS１３２が接続されているかをチェックする通信を行う（S206）。ここでネットワーク用CPU１４２から専用コネクタにGPS１３２が接続されているとの通信をマイクロコンピューター１２３が受信した場合（S207）、USB接続のGPS１３３が接続通信を開始して通信NGで返したことのあるフラグをFALSEに変更し（S208）、専用コネクタ接続されるGPS１３２と接続するという流れになる（S209）。
【００４９】
ここで（S207）で専用コネクタに専用コネクタ接続用GPS１３２が接続されていないという通信をマイクロコンピューター１２３が受信した場合は（S210）へと進む。（S210）でUSB接続のGPS１３３が接続通信を開始して通信NGで返したフラグがTRUEの場合（S211）でフラグをFALSEにし、ネットワーク用CPUの電源をOFFにする（S212）。USB接続のGPS１３３はネットワーク用CPUを必要としないため消費電力を少なくするためこの処理を行う。（S213）でUSB接続のGPSとの接続を受け付け接続する。
【００５０】
（S210）でフラグがFALSEだった場合は（S214）でUSB接続のGPS１３３が接続通信を開始して通信NGで返したフラグをFALSEにし、ネットワーク用CPUの電源をOFFにして（S215）GPS機能の設定を「使う」から「使わない」へ変更し処理を終える。
【００５１】
以上の手順で専用コネクタに接続するGPS１３２とUSB接続のGPS１３３が同時に接続されていて、GPS機能を「使う」に変更した際、専用コネクタに接続するGPS１３２を優先的に接続させることが可能となる。
【００５２】
［実施例２］
実施例１では１３３はUSB接続により使用可能なGPSとして動作するが、１３３はUSBだけでなくアクセサリーシューで通信することも可能である。
【００５３】
以下、図３を参照して、本発明の第２の実施例による、専用コネクタに接続するGPS（１３２）とアクシュー通信可能なGPS（１３３）について説明する。
【００５４】
まず、表示部材１１８に表示されるGPS機器の設定項目にある「使わない」から「使う」に設定を変更する（S300）。（S300）にて「使う」に変更されたと判断したマイクロコンピューター１２３はネットワーク用CPU１４２の電源をON状態に変更する（S301）。ネットワーク用CPUから起動完了通知がくるまで待ち（S302）起動完了通知が来た場合、専用コネクタに専用コネクタに接続可能なGPS１３２が接続されているかチェックするための通信を行う（S303）。（S304）で専用コネクタに接続されるGPS１３２が接続されているという通信をマイクロコンピューター１２３が受信した場合S304で専用コネクタに接続されるGPS１３２との接続処理を行う。（S304）にて専用コネクタには専用コネクタに接続されるGPS１３２が接続されていないという通信をマイクロコンピューター１２３が受信した場合、ネットワーク用CPUの電源をOFFにする（S305）。次に、アクセサリーシューにGPSが接続されているかの通信を行う（S306）、アクセサリーシューにGPSが存在するという通知をマイクロコンピューター１２３が受信した場合アクセサリーシューに接続されているGPS１３３と接続する。（S306）でアクセサリーシューにはGPSが存在しないという通信をマイクロコンピューター１２３が受信した場合は、表示部材に表示されているGPS機器の設定メニューを「使う」から「使わない」へと変更し処理を終える。
【００５５】
以上の手順で専用コネクタに接続するGPS１３２とアクセサリーシュー接続のGPS１３３が同時に接続されていて、GPS機能を「使う」に変更した際、専用コネクタに接続するGPS１３２を優先的に接続させることが可能となる。
【００５６】
以上、本発明の好ましい実施形態について説明したが、本発明はこれらの実施形態に限定されず、その要旨の範囲内で種々の変形及び変更が可能である。
【符号の説明】
【００５７】
１０１  撮影レンズ
１０２  ＡＦ駆動部
１０３  絞り
１０４  絞り駆動部
１０５  主ミラー
１０６  サブミラー
１０７  ミラー駆動回路
１０８  ペンタプリズム
１０９  焦点検出回路
１１０  シャッタ
１１１  シャッタ駆動回路
１１２  撮像素子
１１５  Ａ／Ｄ変換器
１１６  映像信号処理回路
１１７  表示駆動回路
１１８  表示部材
１１９  メモリコントローラ
１２０  メモリ
１２２  バッファメモリ
１２３  マイクロコンピュータ
１２４  操作部材
１２５  スイッチ１
１２６  スイッチ２
１２７  液晶駆動回路
１２８  外部液晶表示
１２９  ファインダ内液晶表示
１３０  不揮発性メモリ
１３１  電源部
１３２  外部機器（専用GPS）
１３３  外部機器（汎用GPS）
１４０  外部インターフェイス１
１４１  外部インターフェイス２
１４２  ネットワーク用CPU
【図１】
2013187720.tif 000003
【図２】
2013187720.tif 000004
【図３】
2013187720.tif 000005